(57)【特許請求の範囲】
【請求項１】
画像形成装置本体に装着された定着装置本体と、
前記定着装置本体に設けられ、画像を記録媒体に定着させる定着部材と、
前記定着装置本体に支持され、従動ロールとその下側に配置された駆動ロールとで構成され、前記定着部材によって画像が定着された記録媒体を搬送する一対の搬送ロールと、
前記定着装置本体に設けられ、前記駆動ロールの下側に配置され、前記定着装置本体の外装をなし、前記定着装置本体の前記画像形成装置本体への装着状態において前記画像形成装置本体の外装もなす外装部と、
を備え、
前記一対の搬送ロールは、前記定着装置本体から排出部へ前記記録媒体を排出する構成とされ、
前記排出部の底面は、前記外装部に設けられた第１底面と、前記画像形成装置本体に設けられた第２底面と、が組み合わされて構成され、
前記外装部の第１底面は、前記定着装置本体の前記画像形成装置本体への装着状態において前記画像形成装置本体の第２底面よりも下方側に位置する
定着装置。
【請求項２】
画像形成装置本体に装着された定着装置本体と、
前記定着装置本体に設けられ、画像を記録媒体に定着させる定着部材と、
前記定着装置本体に支持され、従動ロールとその下側に配置された駆動ロールとで構成され、前記定着部材によって画像が定着された記録媒体を搬送する一対の搬送ロールと、
前記定着装置本体に設けられ、前記駆動ロールの下側に配置され、前記定着装置本体の外装をなし、前記定着装置本体の前記画像形成装置本体への装着状態において前記画像形成装置本体の外装もなす外装部と、
を備え、
前記一対の搬送ロールは、前記定着装置本体から排出部へ前記記録媒体を排出する一対の排出ロールとされ、
前記排出部の側面は、前記外装部に設けられた第１側面と、前記画像形成装置本体に設けられた第２側面と、が組み合わされて構成され、
前記外装部の第１側面は、前記定着装置本体の前記画像形成装置本体への装着状態において、前記画像形成装置本体の第２側面よりも外側に位置する
定着装置。
【請求項３】
前記駆動ロールは、駆動軸と、該駆動軸に設けられたロール部とを備え、
前記外装部と前記駆動ロールとの間の隙間を埋めるように前記外装部から突出する突出部が、前記駆動軸の軸方向で前記ロール部の両側を挟んで形成されている
請求項１又は２に記載の定着装置。
【請求項４】
請求項１〜３のいずれか１項に記載の定着装置と、
前記定着部材によって定着される画像を記録媒体に形成する画像形成部を有する前記画像形成装置本体と、
前記画像形成装置本体に設けられ、前記定着装置の前記外装部とで前記画像形成装置本体の外装をなす外装部と、
を備える画像形成装置。
【発明の詳細な説明】
【技術分野】
【０００１】
本発明は、定着装置及び画像形成装置に関する。
【背景技術】
【０００２】
特許文献１には、以下の構成が開示されている。すなわち、定着ユニット２７０の左面側側面２０２ｂ及び右面側側面のそれぞれと対向する位置には係合突起２５４Ｃが設けられ、この係合突起２５４Ｃは、左面側側面２０２ｂに形成された係合溝２９１ａ内に挿入されている。係合突起２５４Ｃと係合溝２９１ａの係合により、定着ユニット２７０は係合溝２９１ａに沿って定着ユニット取り出し通路Ｓ１内である第１位置と通路Ｓ１外である第２位置との間を移動することができる。定着ユニット２７０を筐体２０２から取り出す場合には、トレイ部材２５４を第２位置に移動することにより、トレイ部材２５４は、通路Ｓ１外に退避するため、定着ユニット２７０の取り出しの邪魔にならず、容易に取り替えが行える。
【０００３】
特許文献２には、以下の構成が開示されている。すなわち、排出ガイド１７は、排出ローラ対１５を構成する従動コロ１５３の間に略平行に介設され、排出用紙を排出トレイ２０へ案内する。排出ガイド１７は、基台１７１と立直部１７２を有し、封筒Ｐ２のうち、排出トレイ２０側に撓む折り返し部３２の通過位置に相当する部分には高姿勢の立直部１７２ａが設けられている。この立直部１７２ａにより折り返し部３２の撓み部を反対側へ強制的に撓ませた状態で、排出トレイ２０へ案内しつつ排出する。
【先行技術文献】
【特許文献】
【０００４】
【特許文献１】特開２００７−０１７４８９号公報（図１６）
【特許文献２】特開平６−１１８７３９号公報（図１）
【発明の概要】
【発明が解決しようとする課題】
【０００５】
本発明は、定着装置本体に設けられた一対の搬送ロールの一方をなす駆動ロールと、画像形成装置本体の外装をなす外装部と、の間からの異物の進入を抑制することを課題とする。
【課題を解決するための手段】
【０００６】
請求項１の発明は、画像形成装置本体に装着された定着装置本体と、前記定着装置本体に設けられ、画像を記録媒体に定着させる定着部材と、前記定着装置本体に支持され、従動ロールとその下側に配置された駆動ロールとで構成され、前記定着部材によって画像が定着された記録媒体を搬送する一対の搬送ロールと、前記定着装置本体に設けられ、前記駆動ロールの下側に配置され、前記定着装置本体の外装をなし、前記定着装置本体の前記画像形成装置本体への装着状態において前記画像形成装置本体の外装もなす外装部と、を備える定着装置である。
【０００７】
請求項３の発明では、前記駆動ロールは、駆動軸と、該駆動軸に設けられたロール部とを備え、前記外装部と前記駆動ロールとの間の隙間を埋めるように前記外装部から突出する突出部が、前記駆動軸の軸方向で前記ロール部の両側を挟んで形成されている。
【０００８】
請求項１の発明では、前記一対の搬送ロールは、前記定着装置本体から排出部へ前記記録媒体を排出する構成とされ、前記排出部の底面は、前記外装部に設けられた第１底面と、前記画像形成装置本体に設けられた第２底面と、が組み合わされて構成され、前記外装部の第１底面は、前記定着装置本体の前記画像形成装置本体への装着状態において前記画像形成装置本体の第２底面よりも下方側に位置する。
【０００９】
請求項２の発明では、前記一対の搬送ロールは、前記定着装置本体から排出部へ前記記録媒体を排出する一対の排出ロールとされ、前記排出部の側面は、前記外装部に設けられた第１側面と、前記画像形成装置本体に設けられた第２側面と、が組み合わされて構成され、前記外装部の第１側面は、前記定着装置本体の前記画像形成装置本体への装着状態において、前記画像形成装置本体の第２側面よりも外側に位置する。
【００１０】
請求項４の発明は、請求項１〜３のいずれか１項に記載の定着装置と、前記定着部材によって定着される画像を記録媒体に形成する画像形成部を有する前記画像形成装置本体と、前記画像形成装置本体に設けられ、前記定着装置の前記外装部とで前記画像形成装置本体の外装をなす外装部と、を備える画像形成装置である。
【発明の効果】
【００１１】
本発明の請求項１の構成によれば、定着装置本体の外装をなす外装部が画像形成装置本体の外装と兼用でない構成に比べ、一対の搬送ロールの一方をなす駆動ロールと、画像形成装置本体の外装をなす外装部と、の間からの異物の進入が抑制される。
【００１２】
本発明の請求項３の構成によれば、突出部が外装部に設けられない構成に比べ、一対の搬送ロールの一方をなす駆動ロールと、画像形成装置本体の外装をなす外装部と、の間からの異物の進入が抑制される。
【００１３】
本発明の請求項１の構成によれば、外装部の第１底面が画像形成装置本体の第２底面よりも下方側に位置しない構成に比べ、第１底面と第２底面とで形成される段差で、記録媒体が引っ掛かることが抑制される。
【００１４】
本発明の請求項２の構成によれば、外装部の第１側面が画像形成装置本体の第２側面よりも外側に位置しない構成に比べ、第１側面と第２側面とで形成される段差で、記録媒体が引っ掛かることが抑制される。
【００１５】
本発明の請求項４の構成によれば、定着装置本体の外装をなす外装部が画像形成装置本体の外装と兼用でない構成に比べ、一対の搬送ロールの一方をなす駆動ロールと、画像形成装置本体の外装をなす外装部と、の間からの異物の進入が抑制される。
【図面の簡単な説明】
【００１６】
【図１】図１は、本実施形態に係る画像形成装置の構成を示す概略図である。
【図２】図２は、本実施形態に係る定着装置の構成を示す断面図である。
【図３】図３は、本実施形態に係る定着装置の構成を示す斜視図である。
【図４】図４は、本実施形態に係る定着装置の構成を示す分解斜視図である。
【図５】図５は、本実施形態に係る定着装置の構成を示す正面図である。
【図６】図６は、本実施形態に係る定着装置本体が画像形成装置本体に装着された状態を示す斜視図である。
【図７】図７は、本実施形態に係る画像形成装置側の底面カバーと定着装置側の第２カバーとの間に形成された段差を示す概略図である。
【図８】図８は、本実施形態に係る画像形成装置側の側面カバーと定着装置側の第３カバーとの間に形成された段差を示す概略図である。
【図９】図９は、本実施形態に係る第１カバーから突出するリブを示す概略図である。
【発明を実施するための形態】
【００１７】
以下に、本発明に係る実施形態の一例を図面に基づき説明する。
【００１８】
（本実施形態に係る画像形成装置の構成）
まず、本実施形態に係る画像形成装置の構成を説明する。図１は、本実施形態に係る画像形成装置の構成を示す概略図である。なお、図中に示す矢印ＵＰは、鉛直方向上方を示す。
【００１９】
画像形成装置１０は、図１に示すように、各構成部品が内部に収容される画像形成装置本体１１を備えている。画像形成装置本体１１は、上部が開放された筐体１１Ａと、筐体１１Ａの開放上部を被覆する被覆部材の一例としての上部カバー１１Ｂ（画像形成装置１１における外装部の一例）と、を備えて構成されている。
【００２０】
画像形成装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される排出部１８が設けられている。
【００２１】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、画像形成ユニット２２Ｙ〜２２Ｋで形成されたトナー画像を中間転写ベルト２４に転写する第１転写ロール２６と、第１転写ロール２６によって中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００２２】
画像形成ユニット２２Ｙ〜２２Ｋは、水平方向に対して傾斜した状態で、画像形成装置１０の上下方向中央部に並んで配置されている。また、画像形成ユニット２２Ｙ〜２２Ｋは、一方向（例えば、図１における時計回り方向）へ回転する感光体３２をそれぞれ有している。なお、画像形成ユニット２２Ｙ〜２２Ｋは、同様に構成されているので、図１において、画像形成ユニット２２Ｍ、２２Ｃ、２２Ｋの各部の符号を省略している。
【００２３】
各感光体３２の周囲には、感光体３２の回転方向上流側から順に、感光体３２を帯電させる帯電装置の一例としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、感光体３２に接触して感光体３２に残留しているトナーを除去する除去部材４０と、が設けられている。
【００２４】
露光装置３６は、制御部２０から送られた画像信号に基づき静電潜像を形成するようになっている。制御部２０から送られる画像信号としては、例えば、制御部２０が外部装置から取得した画像信号がある。
【００２５】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２６】
中間転写ベルト２４は、図１に示すように、環状に形成されると共に、画像形成ユニット２２Ｙ〜２２Ｋの上側に配置されている。中間転写ベルト２４の内周側に、中間転写ベルト２４が巻き掛けられる巻掛ロール４２、４４が設けられている。中間転写ベルト２４は、巻掛ロール４２、４４のいずれかが回転駆動することによって、感光体３２と接触しながら一方向（例えば、図１における反時計回り方向）へ循環移動（回転）するようになっている。なお、巻掛ロール４２は、第２転写ロール２８に対向する対向ロールとされている。
【００２７】
第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置とされている。
【００２８】
第２転写ロール２８は、中間転写ベルト２４を挟んで巻掛ロール４２と対向している。第２転写ロール２８と巻掛ロール４２との間が、中間転写ベルト２４に転写されたトナー画像が記録媒体Ｐに転写される第２転写位置とされている。
【００２９】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置へ搬送する複数の搬送ロール５０と、が設けられている。
【００３０】
第２転写位置より搬送方向下流側には、第２転写ロール２８によって中間転写ベルト２４から記録媒体Ｐへ転写されたトナー画像を記録媒体Ｐに定着させる定着装置６０が設けられている。この定着装置６０には、トナー画像が定着された記録媒体Ｐを排出部１８へ排出する排出ロール５２が設けられている。なお、定着装置６０の具体的な構成については後述する。
【００３１】
次に、本実施形態に係る画像形成装置１０における、記録媒体Ｐへ画像を形成する画像形成動作について説明する。
【００３２】
本実施形態に係る画像形成装置１０では、収容部１２から送出ロール４６によって送り出された記録媒体Ｐが、複数の搬送ロール５０によって第２転写位置へ送り込まれる。
【００３３】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置にて中間転写ベルト２４に重ねられて、カラー画像が形成される。そして、中間転写ベルト２４に形成されたカラー画像が、第２転写位置にて記録媒体Ｐへ転写される。
【００３４】
トナー画像が転写された記録媒体Ｐは、定着装置６０へ搬送され、転写されたトナー画像が定着装置６０により定着される。トナー画像が定着された記録媒体Ｐは、排出ロール５２によって排出部１８に排出される。以上のように、一連の画像形成動作が行われる。
【００３５】
（本実施形態に係る定着装置６０の構成）
次に、本実施形態に係る定着装置６０の構成を説明する。図２〜図５は、本実施形態に係る定着装置６０の構成を示す概略図である。なお、図中に示す矢印ＵＰは、鉛直方向上方を示す。
【００３６】
本実施形態に係る定着装置６０は、図２に示すように、画像形成装置本体１１に装着可能とされ、各構成部品が設けられる定着装置本体６２を備えている。定着装置本体６２には、トナー画像を記録媒体Ｐへ定着させる定着部材の一例として、加熱ロール６４及び加圧ベルト６６が設けられている。
【００３７】
加熱ロール６４は、定着装置本体６２に回転可能に支持された円筒状の円筒部材６４Ａと、円筒部材６４Ａの内部空間に設けられたハロゲンランプ等の加熱源６４Ｂと、を備えて構成されている。加圧ベルト６６は、環状に形成されると共に、加熱ロール６４に対向する位置で定着装置本体６２に回転可能に支持されている。
【００３８】
加熱ロール６４及び加圧ベルト６６では、加熱ロール６４が回転駆動される共に加圧ベルト６６が加熱ロール６４に従動して回転することにより、トナー画像が転写された記録媒体Ｐを挟んで搬送する構成となっている。このように加熱ロール６４及び加圧ベルト６６によって挟んで搬送される記録媒体Ｐは、加熱ロール６４によってトナーが加熱されると共に加圧ベルト６６によってトナーが加圧されて、画像が定着されるようになっている。
【００３９】
定着装置本体６２には、加熱ロール６４及び加圧ベルト６６によってトナー画像が定着された記録媒体Ｐを搬送する一対の搬送ロールの一例として、定着装置本体６２から排出部１８へ記録媒体Ｐを排出する一対の排出ロール５２が設けられている。一対の排出ロール５２は、従動ロール５２Ａと、その下側に配置された駆動ロール５２Ｂと、で構成されている。
【００４０】
駆動ロール５２Ｂは、駆動軸５３Ａと、駆動軸５３Ａに設けられたロール部５３Ｂとを備えて構成されている。駆動軸５３Ａの軸方向一端部には、図３、図４及び図５に示すように、駆動モータ（図示省略）からの駆動力を駆動軸５３Ａに伝達する伝達部材の一例としてのギヤ５３Ｃが取り付けられている。
【００４１】
なお、図２においては、一対の排出ロール５２及び加熱ロール６４・加圧ベルト６６によって、記録媒体Ｐが搬送される搬送経路が二点鎖線で示されている。この搬送経路上において、加熱ロール６４・加圧ベルト６６と一対の排出ロール５２との間には、記録媒体Ｐを検出する検出部の一例としての検知片６７が設けられている。
【００４２】
図６に示すように、定着装置本体６２には、定着装置本体６２の外装をなすと共に、定着装置本体６２の画像形成装置本体１１への装着状態において画像形成装置本体１１の外装もなす外装部の一例としての外装カバー６８が設けられている。
【００４３】
図３、図４及び図５に示すように、外装カバー６８は、駆動ロール５２Ｂの軸方向両端側に配置され定着装置本体６２に固定される固定部６９Ａと、定着装置本体６２の画像形成装置本体１１への装着状態において画像形成装置本体１１の外装をなす外装部分６９Ｂと、を備えている。固定部６９Ａ及び外装部分６９Ｂが、定着装置本体６２の外装をなすように構成されている。すなわち、外装カバー６８は、全体が定着装置本体６２の外装をなすと共に、その一部が画像形成装置本体１１の外装をなす構成とされている。
【００４４】
図３、図４及び図５に示すように、外装カバー６８は、固定部６９Ａにおいて、定着装置本体６２に対して位置決めされると共に、固定部材の一例としてのネジ８０でネジ止めされることによって定着装置本体６２に対して固定されている。また、駆動ロール５２Ｂの軸方向中央側において外装カバー６８の下端部に形成された凹部７６が、定着装置本体６２の下部で突出する突出部７８に引っ掛かっている。これにより、外装カバー６８にかかる荷重による外装カバー６８の変形が抑制されるようになっている。
【００４５】
図６に示すように、外装カバー６８の外装部分６９Ｂは、一対の排出ロール５２によって記録媒体Ｐが排出される排出部１８の一部をなしている。具体的には、外装カバー６８の外装部分６９Ｂは、駆動ロール５２Ｂの下側に配置され排出部１８の前面をなす第１カバー６８Ａと、排出部１８の底面の一部をなす第２カバー６８Ｂと、排出部１８の側面の一部をなす第３カバー６８Ｃ・６８Ｄと、を備えて構成されている。
【００４６】
従って、排出部１８の底面は、定着装置６０側の第２カバー６８Ｂ（第１底面の一例）と、画像形成装置本体１１側に設けられた底面カバー１３Ａ（第２底面の一例）と、が組み合わされて構成されている。排出部１８の側面は、定着装置６０側の第３カバー６８Ｃ・６８Ｄ（第１側面の一例）と、画像形成装置本体１１側に設けられた側面カバー１３Ｂ・１３Ｃ（第２側面の一例）と、が組み合わされて構成されている。なお、外装カバー６８及び底面カバー１３Ａは共に同じ樹脂材料を成型して製造される。
【００４７】
図７に示すように、定着装置６０側の第２カバー６８Ｂは、定着装置本体６２の画像形成装置本体１１への装着状態において、画像形成装置１０側の底面カバー１３Ａよりも下方側に位置している。これにより、画像形成装置１０側の底面カバー１３Ａと定着装置６０側の第２カバー６８Ｂとの間には、画像形成装置１０側の底面カバー１３Ａよりも定着装置６０側の第２カバー６８Ｂが下がった段差が形成される。
【００４８】
図８に示すように、定着装置６０側の第３カバー６８Ｃ・６８Ｄは、定着装置本体６２の画像形成装置本体１１への装着状態において、画像形成装置１０側の側面カバー１３Ｂ・１３Ｃよりも外側、すなわち、排出部１８に排出された記録媒体Ｐの側端から離れる側（図８における右側）に位置している。これにより、画像形成装置１０側の側面カバー１３Ｂ・１３Ｃと定着装置６０側の第３カバー６８Ｃ・６８Ｄとのそれぞれの間には、画像形成装置１０側の側面カバー１３Ｂ・１３Ｃよりも定着装置６０側の第３カバー６８Ｃ・６８Ｄが外側に凹む段差が形成される。なお、図８においては、第３カバー６８Ｄ及び側面カバー１３Ｃのみが図示されているが、第３カバー６８Ｃ及び側面カバー１３Ｃにおいても、同様に構成されている。
【００４９】
図９に示すように、外装カバー６８の第１カバー６８Ａには、第１カバー６８Ａと駆動ロール５２Ｂの駆動ロール５２Ｂとの間の隙間を埋めるように第１カバー６８Ａから突出する突出部の一例としてのリブ７０が、駆動軸５３Ａの軸方向でロール部５３Ｂの両側を挟むように形成されている。具体的には、図７に示すように、リブ７０は、第１カバー６８Ａ外面６９Ａよりも記録媒体Ｐの排出方向側（図２における左側）に突出すると共に、第１カバー６８Ａの上面６９Ｂよりも駆動軸５３Ａ側に突出している。これにより、リブ７０は、駆動ロール５２Ｂのロール部５３Ｂの側面の一部（下部）を覆うと共に、駆動ロール５２Ｂのロール部５３Ｂのうち第１カバー６８Ａから排出部１８側に露出する外周面のうちの下端側の部分４５よりも、径方向外側に張り出している。
【００５０】
定着装置本体６２には、図２に示すように、加熱ロール６４の加熱源６４Ｂへ電力を供給するための配線７２が、第１カバー６８Ａと加熱ロール６４との空間７４に配置されている。従って、配線７２は、第１カバー６８Ａによって覆われて、外部に露出しないようになっている。
【００５１】
（本実施形態に係る作用）
次に、本実施形態に係る作用を説明する。
【００５２】
定着装置６０の加熱ロール６４及び加圧ベルト６６によってトナー画像が定着された記録媒体Ｐは、排出ロール５２によって排出部１８へ排出される。
【００５３】
このとき、記録媒体Ｐは、その後端（搬送方向下流端）が第２カバー６８Ｂを越えて、画像形成装置本体１１側の底面カバー１３Ａに達する位置に飛ばされ、排出部１８へ排出される場合がある。この場合、排出された記録媒体Ｐは、自重により、底面カバー１３Ａをすべり落ちる。
【００５４】
本実施形態では、第１カバー６８Ａが、底面カバー１３Ａよりも下方側に位置するので、記録媒体Ｐが底面カバー１３Ａをすべり落ちる際に、第１カバー６８Ａに引っ掛かることなく、記録媒体Ｐの後端が第１カバー６８Ａに当って、記録媒体Ｐが排出部１８に収容される。
【００５５】
また、第３カバー６８Ｃ・６８Ｄが、側面カバー１３Ｂ・１３Ｃよりも外側に位置するので、記録媒体Ｐが底面カバー１３Ａをすべり落ちる際に、第３カバー６８Ｃ・６８Ｄに引っ掛かることなく、記録媒体Ｐの後端が第１カバー６８Ａに当って、記録媒体Ｐが排出部１８に収容される。
【００５６】
また、本実施形態に係る一対の排出ロール５２では、駆動軸５３Ａの軸方向一端部にギヤ５３Ｃが取り付けられる駆動ロール５２Ｂが下側に配置され、ギヤが不要な従動ロール５２Ａが上側に配置される。これにより、画像形成装置本体１１の最上部において、ギヤを配置するための空間が不要となる。
【００５７】
このように駆動ロール５２Ｂが下側に配置されている構成では、排出部１８に排出された記録媒体Ｐが駆動ロール５２Ｂに達する高さまで積み重なった場合に、その排出部１８の記録媒体Ｐに駆動ロール５２Ｂが接触して、記録媒体Ｐが定着装置本体６２の内部へ引き込まれやすい。しかしながら、本実施形態では、記録媒体Ｐがリブ７０に接触して、定着装置本体６２の内部へ引き込まれることが抑制される。
【００５８】
また、本実施形態では、定着装置本体６２の外装カバー６８を構成する第１カバー６８Ａ・第２カバー６８Ｂ・第３カバー６８Ｃ・６８Ｄが、画像形成装置本体１１の外装カバーとしても機能する。これにより、定着装置本体６２の外装カバー６８と画像形成装置本体１１の外装カバーとをそれぞれ設ける構成に比べ、部品点数が低減されるとともに、画像形成装置が小型化される。
【００５９】
定着装置本体６２の外装カバー６８と画像形成装置本体１１の外装カバーとをそれぞれ設ける比較例の構成では、第１カバー６８Ａの外側（図２における左側）又は、配線７２と第１カバー６８Ａとの間にカバーが一枚増えることになるのに対して、本実施形態の構成では、定着装置本体６２の外装カバー６８が画像形成装置本体１１の外装カバーと兼用となるので、カバーを配置するための空間が一枚分で済む。
【００６０】
さらに、定着装置本体６２の外装カバー６８が画像形成装置本体１１の外装カバーと兼用となるので、画像形成装置本体１１の外装カバーが定着装置本体６２と別体で設けられる構成に比べ、駆動ロール５２Ｂの駆動軸５３Ａ及びロール部５３Ｂに対する画像形成装置本体１１の外装カバーの位置精度が向上する。従って、画像形成装置本体１１の外装カバーと駆動軸５３Ａやロール部５３Ｂとの間隔を狭く設定して成型することができる。
【００６１】
また、画像形成装置本体１１の外装カバーと兼用となる定着装置本体６２の外装カバー６８にリブ７０が設けられているので、定着装置本体６２と別体で設けられる画像形成装置本体１１の外装カバーにリブ７０が設けられる構成に比べ、駆動ロール５２Ｂの駆動軸５３Ａ及びロール部５３Ｂに対するリブ７０の位置精度が向上する。従って、リブ７０と駆動軸５３Ａやロール部５３Ｂとの間隔が調整しやすい。
【００６２】
本発明は、上記の実施形態に限るものではなく、種々の変形、変更、改良が可能である。
【符号の説明】
【００６３】
１０   画像形成装置
１１   画像形成装置本体
１１Ｂ 上部カバー（画像形成装置本体における外装部の一例）
１３Ｂ 側面カバー（第２側面の一例）
１３Ｃ 側面カバー（第２側面の一例）
１３Ａ 底面カバー（第２底面の一例）
１４   画像形成部
１８   排出部
５２Ｂ 駆動ロール
５２Ａ 従動ロール
５２   排出ロール（搬送ロールの一例）
５３Ｂ ロール部
５３Ａ 駆動軸
６０   定着装置
６２   定着装置本体
６４   加熱ロール（定着部材の一例）
６６   加圧ベルト（定着部材の一例）
６８Ｂ 第２カバー（第１底面の一例）
６８Ｃ 第３カバー（第１側面の一例）
６８Ｄ 第３カバー（第１側面の一例）
６８   外装カバー（外装部の一例）
７０   リブ（突出部の一例）
Ｐ     記録媒体
【図１】
0005533106.tif 000002
【図２】
0005533106.tif 000003
【図３】
0005533106.tif 000004
【図４】
0005533106.tif 000005
【図５】
0005533106.tif 000006
【図６】
0005533106.tif 000007
【図７】
0005533106.tif 000008
【図８】
0005533106.tif 000009
【図９】
0005533106.tif 000010